(57)【要約】【課題】部品点数を増やすことなくタブ群の積層方向両端側とケース本体とを絶縁できる蓄電装置及び蓄電装置の製造方法を提供すること。【解決手段】二次電池１０の絶縁カバー３５は、タブ群２７の先端部とケース部材１４との間に介在する平板状の第１タブ絶縁部３６と、蓋部材１５と電極接合部２８ａの間に介在する蓋側突出部３７と、蓋側突出部３７に交差し、タブ群２７の基端部とケース部材１４との間に介在する第２タブ絶縁部３９と、を備える。絶縁カバー３５は、端子接合部２８ｂと電極組立体１２との間に介在する電極側突出部３８と、を備える。幅方向の一端側から絶縁カバー３５を見た側面視において、第１タブ絶縁部３６、蓋側突出部３７及び電極側突出部３８で構成される部位はコ字状である。絶縁カバー３５は、第２タブ絶縁部３９と蓋側突出部３７の第２交差部４２に薄肉部４２ａを備える。【選択図】図２
2019145313.tif 000002
【特許請求の範囲】
【請求項１】
正極と負極の電極が絶縁された状態で積層され、かつ各極性の前記電極から突出したタブが同じ極性同士で積層されたタブ群を有する電極組立体と、
前記電極組立体を収容するケース部材、及び前記ケース部材の開口部を閉塞する平板状の蓋部材を有するケースと、
前記蓋部材に固定され、前記電極組立体と電気を授受する各極性の電極端子と、
前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接合部を備える各極性の導電部材と、
前記タブ群と前記ケース部材とを絶縁する絶縁カバーと、
を備える蓄電装置であって、
前記絶縁カバーは、前記電極組立体における前記電極の積層方向一端側において前記タブ群の一端部と前記ケース部材との間に介在する平板状の第１タブ絶縁部と、
前記積層方向に沿って前記第１タブ絶縁部から突出することで前記第１タブ絶縁部に交差し、かつ前記蓋部材と前記電極接合部の間に介在する蓋側突出部と、
前記蓋側突出部に交差し、前記積層方向の他端側において前記タブ群の他端部と前記ケース部材との間に介在する第２タブ絶縁部と、
前記蓋側突出部よりも前記電極組立体寄りに位置し、前記積層方向に沿って前記第１タブ絶縁部から突出することで前記第１タブ絶縁部に交差する電極側突出部と、を備え、
前記タブ側端面に沿い、かつ前記積層方向に直交する方向を幅方向とした場合、前記幅方向の一端側から前記絶縁カバーを見た側面視において、前記第１タブ絶縁部、前記蓋側突出部及び前記電極側突出部で構成される部位はコ字状であり、
前記第２タブ絶縁部と前記蓋側突出部の交差部に脆弱部を備え、
前記第１タブ絶縁部と前記蓋側突出部の交差部、及び前記第１タブ絶縁部と前記電極側突出部の交差部には脆弱部を備えないことを特徴とする蓄電装置。
【請求項２】
前記電極側突出部は、前記第１タブ絶縁部からの突出方向の先端に、前記導電部材における積層方向の他端側に位置した縁部に係止する係止爪を有する請求項１に記載の蓄電装置。
【請求項３】
前記電極側突出部は、前記端子接合部を前記電極組立体側から覆う板状である請求項１又は請求項２に記載の蓄電装置。
【請求項４】
前記第２タブ絶縁部は、前記タブ群の他端部であって前記タブ側端面と前記電極接合部との間に介在する部分全てを前記ケース部材側から覆う請求項１〜請求項３のうちいずれか一項に記載の蓄電装置。
【請求項５】
前記電極組立体と前記ケース部材とを絶縁する絶縁フィルムを備え、当該絶縁フィルムの一部が前記第２タブ絶縁部と前記ケース部材との間に介在する請求項１〜請求項４のうちいずれか一項に記載の蓄電装置。
【請求項６】
正極と負極の電極が絶縁された状態で積層され、かつ各極性の前記電極から突出したタブが同じ極性同士で積層されたタブ群を有する電極組立体と、
前記電極組立体を収容するケース部材、及び前記ケース部材の開口部を閉塞する平板状の蓋部材を有するケースと、
前記蓋部材に固定され、前記電極組立体と電気を授受する各極性の電極端子と、
前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接合部を備える各極性の導電部材と、
前記タブ群と前記ケース部材とを絶縁する絶縁カバーと、
を備える蓄電装置の製造方法であって、
前記絶縁カバーは、前記電極組立体における前記電極の積層方向一端側において前記タブ群の一端部と前記ケース部材との間に介在する平板状の第１タブ絶縁部と、
前記積層方向に沿って前記第１タブ絶縁部から突出することで前記第１タブ絶縁部に交差し、かつ前記蓋部材と前記電極接合部の間に介在する蓋側突出部と、
前記蓋側突出部に交差し、前記積層方向の他端側において前記タブ群の他端部と前記ケース部材との間に介在する第２タブ絶縁部と、
前記蓋側突出部よりも前記電極組立体寄りに位置し、前記積層方向に沿って前記第１タブ絶縁部から突出することで前記第１タブ絶縁部に交差する電極側突出部と、
前記第２タブ絶縁部と前記蓋側突出部との交差部に位置する脆弱部とを備え、
前記蓋部材に前記電極端子を固定するとともに、同じ極性の前記電極端子と前記端子接合部とを接合し、蓋端子組立体を製造する第１工程と、
同じ極性の前記電極接合部と前記タブ群とを接合して前記蓋端子組立体と前記電極組立体とを一体化する第２工程と、
前記脆弱部を挟んで前記蓋側突出部と前記第２タブ絶縁部とが同じ平面上に位置する平板状の状態にある前記絶縁カバーの前記第２タブ絶縁部を前記蓋部材と前記電極接合部の間に差し込む第３工程と、
前記電極接合部よりも突出した前記第２タブ絶縁部を脆弱部から屈曲させる第４工程と、を有することを特徴とする蓄電装置の製造方法。
【発明の詳細な説明】
【技術分野】
【０００１】
本発明は、タブ群とケース部材とを絶縁する絶縁カバーを備える蓄電装置及び蓄電装置の製造方法に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。
【０００３】
二次電池は、シート状の正極及び負極の電極が絶縁された状態で積層された電極組立体と、電極組立体を収容するケースとを備える。電極組立体は、電極の一辺の一部から突出したタブを同じ極性同士で寄せ集めたタブ群を有する。ケースは、有底筒状のケース部材と、ケース部材の開口部を閉塞する蓋部材とを有する。二次電池は、電極組立体と電気を授受する電極端子を備えるとともに、電極端子と蓋部材とを絶縁する絶縁部材を備える。なお、電極端子は、蓋部材に固定されている。二次電池は、電極端子と電極組立体のタブ群とを接続する導電部材を備えている。
【０００４】
上記のような二次電池の製造方法の一つに、蓋部材に電極端子を固定するとともに、電極端子とタブ群に導電部材を接合し、電極組立体、蓋部材、電極端子、導電部材、及びタブ群を組立部材として一体化した後、組立部材に絶縁カバーを装着する方法がある（例えば特許文献１参照）。
【０００５】
特許文献１において、二次電池が備える絶縁カバーは、蓋部材と導電部材との間を絶縁する第１絶縁部と、電極端子と電極組立体との間を絶縁する第２絶縁部とを備える。また、絶縁カバーは、第２絶縁部に係止爪を備え、この係止爪は導電部材又は絶縁部材に係止している。
【０００６】
上記絶縁カバーは、組立部材の製造後に組立部材に装着される。絶縁カバーを組立部材に装着するには、電極組立体の積層方向一端側から他端側に向けて絶縁カバーを移動させ、第１絶縁部を蓋部材と導電部材との間に差し込むとともに、第２絶縁部を電極端子と電極組立体の端面との間に差し込む。そして、係止爪を、積層方向の他端側まで移動させ、積層方向他端側における導電部材又は絶縁部材の側面に係止させることで、絶縁カバーが積層方向一端側へ移動することを規制し、組立部材から絶縁カバーが抜け出ることが抑制される。
【先行技術文献】
【特許文献】
【０００７】
【特許文献１】特開２０１７−１１７６６７号公報
【発明の概要】
【発明が解決しようとする課題】
【０００８】
ところが、特許文献１に開示の絶縁カバーは、タブ群のうちの積層方向一端側はケースから絶縁できるが、積層方向他端側は絶縁できない。そこで、例えば、積層方向に移動させて装着される絶縁カバーを、タブ群における積層方向一端側を覆う部品と、タブ群における積層方向他端側を覆う部品とに二分割し、二分割した絶縁カバーを積層方向の両側から組立部材に対して組み付けることで、タブ群を積層方向両側からケースと絶縁することが考えられる。しかし、この場合は、２つの絶縁カバーを必要とすることになり、二次電池の部品点数が増えてしまう。
【０００９】
本発明の目的は、部品点数を増やすことなくタブ群の積層方向両端側とケース本体とを絶縁できる蓄電装置及び蓄電装置の製造方法を提供することにある。
【課題を解決するための手段】
【００１０】
上記問題点を解決するための蓄電装置は、正極と負極の電極が絶縁された状態で積層され、かつ各極性の前記電極から突出したタブが同じ極性同士で積層されたタブ群を有する電極組立体と、前記電極組立体を収容するケース部材、及び前記ケース部材の開口部を閉塞する平板状の蓋部材を有するケースと、前記蓋部材に固定され、前記電極組立体と電気を授受する各極性の電極端子と、前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接合部を備える各極性の導電部材と、前記タブ群と前記ケース部材とを絶縁する絶縁カバーと、を備える蓄電装置であって、前記絶縁カバーは、前記電極組立体における前記電極の積層方向一端側において前記タブ群の一端部と前記ケース部材との間に介在する平板状の第１タブ絶縁部と、前記積層方向に沿って前記第１タブ絶縁部から突出することで前記第１タブ絶縁部に交差し、かつ前記蓋部材と前記電極接合部の間に介在する蓋側突出部と、前記蓋側突出部に交差し、前記積層方向の他端側において前記タブ群の他端部と前記ケース部材との間に介在する第２タブ絶縁部と、前記蓋側突出部よりも前記電極組立体寄りに位置し、前記積層方向に沿って前記第１タブ絶縁部から突出することで前記第１タブ絶縁部に交差する電極側突出部と、を備え、前記タブ側端面に沿い、かつ前記積層方向に直交する方向を幅方向とした場合、前記幅方向の一端側から前記絶縁カバーを見た側面視において、前記第１タブ絶縁部、前記蓋側突出部及び前記電極側突出部で構成される部位はコ字状であり、前記第２タブ絶縁部と前記蓋側突出部の交差部に脆弱部を備え、前記第１タブ絶縁部と前記蓋側突出部の交差部、及び前記第１タブ絶縁部と前記電極側突出部の交差部には脆弱部を備えないことを要旨とする。
【００１１】
これによれば、絶縁カバーにおいて、脆弱部により、第２タブ絶縁部を蓋側突出部に対し折り曲げた状態にすることができる。よって、第２タブ絶縁部を蓋側突出部に対し折り曲げる前は、蓋側突出部と第２タブ絶縁部とを同じ平面上に位置する平板状とすることができる。また、第１タブ絶縁部と蓋側突出部の交差部及び第１タブ絶縁部と電極側突出部の交差部には脆弱部はなく、第１タブ絶縁部、蓋側突出部及び電極側突出部で構成される部位は、予めコ字状に一体成形されている。よって、第２タブ絶縁部を折り曲げる前は、絶縁カバー全体が側面視でコ字状である。
【００１２】
このような絶縁カバーを導電部材に組付けるには、まず、蓋部材に対し、導電部材及び電極端子を一体に組み付け、さらに、導電部材の電極接合部にタブ群を接合し、蓋部材、導電部材、電極端子及び電極組立体を一体化する。次に、第２タブ絶縁部を折り曲げる前のコ字状の絶縁カバーを電極組立体の積層方向一端側から他端側に向けてスライド移動させる。
【００１３】
そして、同じ平面上に位置する第２タブ絶縁部及び蓋側突出部を、第２タブ絶縁部から蓋部材と電極接合部との間に差し込む。第１タブ絶縁部がタブ群の一端部に当接するまで絶縁カバーをスライド移動させると、第２タブ絶縁部が電極接合部よりも積層方向の他端側に突出した状態になるとともに、電極側突出部が端子接合部よりも電極組立体寄りに配置される。
【００１４】
その後、脆弱部を折り曲げると、第２タブ絶縁部と蓋側突出部の間に交差部が形成され、タブ群の他端側が第２タブ絶縁部によって覆われるとともに、導電部材に絶縁カバーが装着される。その結果、タブ群の一端側が第１タブ絶縁部によって覆われ、タブ群の他端側が第２タブ絶縁部によって覆われる。そして、電極組立体をケース部材に収容し、蓋部材によりケース部材の開口部を閉塞すると、蓄電装置が製造される。
【００１５】
このような蓄電装置においては、第１タブ絶縁部によりタブ群の一端部をケース部材から絶縁でき、第２タブ絶縁部によりタブ群の他端部をケース部材から絶縁できる。したがって、蓋部材、導電部材、電極端子、及び電極組立体が一体化された後に、タブ群の一端部と他端部とを別々の絶縁カバーで覆う場合よりも部品を一つ減らすことができ、蓄電装置の部品点数を減らすことができる。
【００１６】
また、蓄電装置について、前記電極側突出部は、前記第１タブ絶縁部からの突出方向の先端に、前記導電部材における積層方向の他端側に位置した縁部に係止する係止爪を有していてもよい。
【００１７】
これによれば、絶縁カバーを電極組立体の積層方向一端側から他端側に向けてスライド移動させると、積層方向他端側において、係止爪が導電部材の縁部に係止する。導電部材に対する係止爪の係止により、絶縁カバーが積層方向一端側へ移動することを規制できる。
【００１８】
また、蓄電装置について、前記電極側突出部は、前記端子接合部を前記電極組立体側から覆う板状であってもよい。
これによれば、電極側突出部により、端子接合部と電極組立体とを絶縁できる。
【００１９】
また、蓄電装置について、前記第２タブ絶縁部は、前記タブ群の他端部であって前記タブ側端面と前記電極接合部との間に介在する部分全てを前記ケース部材側から覆うのが好ましい。
【００２０】
これによれば、第２タブ絶縁部によりタブ群の他端部をケース部材から絶縁できる。
また、蓄電装置について、前記電極組立体と前記ケース部材とを絶縁する絶縁フィルムを備え、当該絶縁フィルムの一部が前記第２タブ絶縁部と前記ケース部材との間に介在するのが好ましい。
【００２１】
これによれば、絶縁フィルムと第２タブ絶縁部の双方により、タブ群の他端部とケース部材とを絶縁できる。
上記問題点を解決するための蓄電装置の製造方法は、正極と負極の電極が絶縁された状態で積層され、かつ各極性の前記電極から突出したタブが同じ極性同士で積層されたタブ群を有する電極組立体と、前記電極組立体を収容するケース部材、及び前記ケース部材の開口部を閉塞する平板状の蓋部材を有するケースと、前記蓋部材に固定され、前記電極組立体と電気を授受する各極性の電極端子と、前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接合部を備える各極性の導電部材と、前記タブ群と前記ケース部材とを絶縁する絶縁カバーと、を備える蓄電装置の製造方法であって、前記絶縁カバーは、前記電極組立体における前記電極の積層方向一端側において前記タブ群の一端部と前記ケース部材との間に介在する平板状の第１タブ絶縁部と、前記積層方向に沿って前記第１タブ絶縁部から突出することで前記第１タブ絶縁部に交差し、かつ前記蓋部材と前記電極接合部の間に介在する蓋側突出部と、前記蓋側突出部に交差し、前記積層方向の他端側において前記タブ群の他端部と前記ケース部材との間に介在する第２タブ絶縁部と、前記蓋側突出部よりも前記電極組立体寄りに位置し、前記積層方向に沿って前記第１タブ絶縁部から突出することで前記第１タブ絶縁部に交差する電極側突出部と、前記第２タブ絶縁部と前記蓋側突出部との交差部に位置する脆弱部とを備え、前記蓋部材に前記電極端子を固定するとともに、同じ極性の前記電極端子と前記端子接合部とを接合し、蓋端子組立体を製造する第１工程と、同じ極性の前記電極接合部と前記タブ群とを接合して前記蓋端子組立体と前記電極組立体とを一体化する第２工程と、前記脆弱部を挟んで前記蓋側突出部と前記第２タブ絶縁部とが同じ平面上に位置する平板状の状態にある前記絶縁カバーの前記第２タブ絶縁部を前記蓋部材と前記電極接合部の間に差し込む第３工程と、前記電極接合部よりも突出した前記第２タブ絶縁部を脆弱部から屈曲させる第４工程と、を有することを要旨とする。
【００２２】
これによれば、第１工程及び第２工程を経て、蓋端子組立体と電極組立体が一体化されていても、第３工程を行うことで、蓋側突出部を蓋部材と電極接合部の間に差し込むことができる。さらに、第４工程を行うことで、蓋側突出部を蓋部材と電極接合部の間に差し込んで装着するタイプの絶縁カバーであっても、第２タブ絶縁部によって、タブ群の他端部を覆うことができる。よって、蓋側突出部を蓋部材と電極接合部の間に差し込んで装着するタイプの絶縁カバーを備える蓄電装置であっても、第１タブ絶縁部によりタブ群の一端部をケース部材から絶縁でき、第２タブ絶縁部によりタブ群の他端部をケース部材から絶縁できる。したがって、蓋部材、導電部材、電極端子、及び電極組立体が一体化された後に、タブ群の一端部と他端部とを別々の絶縁カバーで覆う場合よりも部品を一つ減らすことができ、蓄電装置の部品点数を減らすことができる。
【発明の効果】
【００２３】
本発明によれば、部品点数を増やすことなくタブ群の積層方向両端側とケース本体とを絶縁できる。
【図面の簡単な説明】
【００２４】
【図１】実施形態の二次電池を示す分解斜視図。
【図２】実施形態の二次電池を示す部分側断面図。
【図３】実施形態の二次電池を示す部分正面図。
【図４】実施形態の二次電池を示す部分斜視図。
【図５】絶縁カバーを蓋端子組立体に装着する状態を示す側断面図。
【図６】係止爪を係止させた状態を示す側断面図。
【図７】別例の絶縁カバーを示す側断面図。
【発明を実施するための形態】
【００２５】
以下、蓄電装置及び蓄電装置の製造方法を二次電池及び二次電池の製造方法に具体化した一実施形態を図１〜図６にしたがって説明する。
図１又は図２に示すように、蓄電装置としての二次電池１０はケース１１を備え、ケース１１には電極組立体１２が収容されている。ケース１１は、電極組立体１２を収容する四角箱状のケース部材１４と、このケース部材１４の開口部１４ａを閉塞する矩形平板状の蓋部材１５とを有している。なお、本実施形態の二次電池１０はリチウムイオン電池である。蓋部材１５は、ケース部材１４の開口部１４ａの周縁に支持される矩形平板状の天板１５ａと、天板１５ａからケース部材１４に向けて突出する矩形状の嵌合部１５ｂとを有する。嵌合部１５ｂは、ケース部材１４の開口部１４ａに嵌合される。そして、天板１５ａの周縁とケース部材１４における開口部１４ａの周縁とが溶接されてケース部材１４と蓋部材１５が一体化されている。
【００２６】
図２に示すように、電極組立体１２は、シート状の複数の正極電極２１とシート状の複数の負極電極２２とを備え、正極電極２１と負極電極２２とは異なる極性の電極である。詳細に図示しないが、正極電極２１は、正極金属箔（本実施形態ではアルミニウム箔）と、その正極金属箔の両面に存在する正極活物質層とを有する。負極電極２２は、負極金属箔（本実施形態では銅箔）と、その負極金属箔の両面に存在する負極活物質層とを有する。そして、電極組立体１２は、複数の正極電極２１と複数の負極電極２２の間にこれらを絶縁するセパレータ２３を介在させて積層された積層型である。正極電極２１と負極電極２２が積層された方向を電極組立体１２の積層方向とする。
【００２７】
正極電極２１は、正極電極２１の一辺２１ａの一部から突出した形状のタブ２５を有する。負極電極２２は、負極電極２２の一辺２２ａの一部から突出した形状のタブ２６を有する。複数の正極のタブ２５、及び複数の負極のタブ２６は、正極電極２１及び負極電極２２が積層された状態で、正極のタブ２５と負極のタブ２６とが重ならない位置にそれぞれ設けられている。
【００２８】
電極組立体１２は、タブ側端面１２ａを備える。タブ側端面１２ａは、正極電極２１の一辺２１ａ、負極電極２２の一辺２２ａ、及びセパレータ２３の一辺を寄せ集めて形成されている。電極組立体１２を構成する各正極電極２１は、それぞれのタブ２５が積層方向に沿って列状に配置されるように積層される。同様に、電極組立体１２を構成する各負極電極２２は、それぞれのタブ２６が積層方向に沿って列状に配置されるように積層される。
【００２９】
図１に示すように、電極組立体１２は、タブ側端面１２ａから突出した正極のタブ２５が積層されたタブ群２７を有し、このタブ群２７は、全ての正極のタブ２５を電極組立体１２における積層方向に寄せ集め、積層して構成されている。また、電極組立体１２は、タブ側端面１２ａから突出した負極のタブ２６が積層されたタブ群２７を有し、このタブ群２７は、全ての負極のタブ２６を積層して構成されている。各極のタブ群２７は、積層方向一端側に各タブ２５，２６の先端が位置するように折り曲げられている。
【００３０】
図２に示すように、タブ群２７は、タブ側端面１２ａ側となる基端（根本）側に集箔部２７ａを備える。集箔部２７ａは、タブ２５，２６を寄せ集めた部位である。タブ群２７は、集箔部２７ａに繋がる第１曲げ部２７ｂを備える。第１曲げ部２７ｂは各タブ２５，２６を積層方向一端側に向けて屈曲させた部位である。タブ群２７は、第１曲げ部２７ｂに繋がる延出部２７ｃを備える。延出部２７ｃは、電極組立体１２の積層方向へほぼ真っ直ぐに延びる部位である。タブ群２７の第１曲げ部２７ｂは、集箔部２７ａと延出部２７ｃを繋ぐ部位である。
【００３１】
タブ群２７は、延出部２７ｃよりも先端側に第２曲げ部２７ｄを備える。第２曲げ部２７ｄはタブ群２７を積層方向他端側に向けて屈曲させた部位である。タブ群２７は、第２曲げ部２７ｄより先端側に折り返し部２７ｅを備える。タブ群２７の第２曲げ部２７ｄは、延出部２７ｃと折り返し部２７ｅを繋ぐ部位である。そして、集箔部２７ａと第１曲げ部２７ｂとからタブ群２７の基端部が構成され、第２曲げ部２７ｄと折り返し部２７ｅとからタブ群２７の先端部が構成されている。タブ群２７の先端部は、積層方向における一端側に位置するため、タブ群２７の一端部を構成し、タブ群２７の基端部は、積層方向における他端側に位置するため、タブ群２７の他端部を構成する。
【００３２】
電極組立体１２及びタブ群２７は、絶縁フィルムＦによって覆われている。絶縁フィルムＦは、正極及び負極のタブ群２７を積層方向両端側から覆っている。
図３に示すように、正極のタブ群２７には、電極組立体１２と、後述の正極端子構造１６とを電気的に接続するための導電部材２８が接合されている。また、負極のタブ群２７には、電極組立体１２と、後述の負極端子構造１７とを電気的に接続するための導電部材２８が接合されている。導電部材２８は、蓋部材１５の内面と、電極組立体１２のタブ側端面１２ａとの間に配置されている。
【００３３】
正極及び負極の導電部材２８の長手は、蓋部材１５の長手方向へ延びるクランク状であり、各極性の導電部材２８の短手は、電極組立体１２の積層方向へ延びる。正極及び負極の導電部材２８は、同じ極性のタブ群２７と接合された電極接合部２８ａを長手方向一端側に備える。また、正極及び負極の導電部材２８は、同じ極性の引出端子２９と接続される平板状の端子接合部２８ｂを長手方向他端側に備えるとともに、電極接合部２８ａと端子接合部２８ｂを繋ぐ連繋部２８ｃを備える。連繋部２８ｃにより、端子接合部２８ｂは、電極接合部２８ａよりも電極組立体１２寄りに位置している。導電部材２８の短手方向に沿った電極接合部２８ａ、端子接合部２８ｂ及び連繋部２８ｃの寸法はいずれも同じである。なお、導電部材２８は、蓋部材１５の内面と、電極組立体１２のタブ側端面１２ａとの間に配置されている。
【００３４】
次に、正極端子構造１６及び負極端子構造１７を説明する。なお、正極端子構造１６と負極端子構造１７は基本的に同じ構成であるため、共通の部材については、同じ部材番号を使用して説明する。
【００３５】
正極端子構造１６及び負極端子構造１７は、それぞれ蓋部材１５に固定された電極端子としての引出端子２９を備える。引出端子２９は、各極性において導電部材２８の端子接合部２８ｂと電気的に接続され、電極組立体１２と電気を授受する。引出端子２９は、蓋部材１５より外側に突出している。正極端子構造１６及び負極端子構造１７は、蓋部材１５の外側で引出端子２９と電気的に接続された端子接合部材３０を備える。正極端子構造１６及び負極端子構造１７は、蓋部材１５の外側で、端子接合部材３０と電気的に接続された外部接続端子３１を備える。正極端子構造１６及び負極端子構造１７は、端子接合部材３０及び外部接続端子３１を蓋部材１５から絶縁する外側絶縁部材３２を蓋部材１５の外面に備える。
【００３６】
正極端子構造１６及び負極端子構造１７は、ケース１１の内側で引出端子２９及び端子接合部２８ｂを蓋部材１５から絶縁する絶縁部材としての内側絶縁部材３３を備える。内側絶縁部材３３は矩形板状である。内側絶縁部材３３は、電極組立体１２のタブ側端面１２ａ側から蓋部材１５に向けて凹む収容凹部３４を備える。収容凹部３４は、内側絶縁部材３３の四側面のうち、電極接合部２８ａ寄りの側面にて開口している。そして、収容凹部３４に端子接合部２８ｂのほぼ全体が収容され、内側絶縁部材３３におけるタブ側端面１２ａ寄りの端面と、端子接合部２８ｂにおけるタブ側端面１２ａ寄りの端面２８ｄとが面一になっている。また、端子接合部２８ｂの一部、連繋部２８ｃ及び電極接合部２８ａが内側絶縁部材３３における端子接合部２８ｂ寄りの側面から突出している。
【００３７】
次に、ケース１１内に設けられた樹脂製の絶縁カバー３５について説明する。
図２に示すように、絶縁カバー３５は、正極及び負極の導電部材２８に対し、積層方向の一端側から装着されている。絶縁カバー３５は、樹脂製である。絶縁カバー３５は、矩形板形状の第１タブ絶縁部３６を備える。第１タブ絶縁部３６は、積層方向一端側に位置する両極性のタブ群２７の先端部（一端部）を積層方向の外側から覆い、両極性のタブ群２７の先端部とケース部材１４との間に介在し、両者を絶縁する。第１タブ絶縁部３６は矩形板状（図１及び図４参照）である。第１タブ絶縁部３６の長手は、蓋部材１５の長手方向に延びている。第１タブ絶縁部３６は、両極性のタブ群２７の先端部を一括して覆う。
【００３８】
第１タブ絶縁部３６は、タブ群２７の先端部に対向する面に内面３６ａを有し、ケース部材１４に対向する面に外面３６ｂを有する。内面３６ａと外面３６ｂを最短距離で結ぶ直線の長さを厚みとする。
【００３９】
絶縁カバー３５は、蓋部材１５の長手方向に延びる第１タブ絶縁部３６の一対の長縁部のうち、蓋部材１５寄りの長縁部から積層方向他端に向けて突出した蓋側突出部３７を備える。蓋側突出部３７は、両極性の導電部材２８の電極接合部２８ａと蓋部材１５との間に介在し、両者を絶縁する。蓋側突出部３７は、蓋部材１５に対向する面に第１面３７ａを備え、第１面３７ａに平行で、かつ電極接合部２８ａに対向する面に第２面３７ｂを備える。蓋側突出部３７は、第２面３７ｂが両極の電極接合部２８ａに支持されている。第１面３７ａと第２面３７ｂを最短距離で結ぶ直線の長さを厚みとする。蓋側突出部３７の厚みと第１タブ絶縁部３６の厚みは同じである。
【００４０】
絶縁カバー３５は、第１タブ絶縁部３６と蓋側突出部３７とが交わる部位に第１交差部４１を備える。ここで、タブ側端面１２ａに沿い、かつ積層方向に直交する方向を電極組立体１２の幅方向とする。第１交差部４１は、電極組立体１２の幅方向に沿うように、第１タブ絶縁部３６及び蓋側突出部３７の長手方向全体に亘って存在する。第１交差部４１は、第１タブ絶縁部３６と蓋側突出部３７の間で直角に屈曲した部位である。
【００４１】
蓋側突出部３７において、第１タブ絶縁部３６からの突出方向への寸法を突出長さＬ１（図６参照）とすると、蓋側突出部３７の突出長さＬ１は、積層方向に沿った電極接合部２８ａの寸法より長い。また、蓋側突出部３７の突出長さＬ１は、積層方向に沿った第１曲げ部２７ｂから第２曲げ部２７ｄまでの寸法より僅かに短い。なお、蓋側突出部３７の突出長さＬ１は、積層方向に沿った第１曲げ部２７ｂから第２曲げ部２７ｄまでの寸法より僅かに長くてもよいし、同じでもよい。そして、第１タブ絶縁部３６の内面３６ａが第２曲げ部２７ｄに当接した状態では、蓋側突出部３７の突出方向の先端は、第１曲げ部２７ｂよりも僅かに積層方向の一端寄りに位置している。
【００４２】
蓋側突出部３７において、電極組立体１２の幅方向への寸法を幅Ｌ２（図４参照）とすると蓋側突出部３７の幅Ｌ２は、幅方向に並ぶ両極性の電極接合部２８ａ及びタブ群２７の外寄りの端面間の長さより長い。
【００４３】
図２に示すように、絶縁カバー３５は、蓋側突出部３７における第１タブ絶縁部３６からの突出方向の先端に繋がる第２タブ絶縁部３９を備える。第２タブ絶縁部３９は、矩形板状である。第２タブ絶縁部３９は、積層方向においてケース部材１４の内面側の面に第１面３９ａを備え、タブ群２７の基端部側の面に第２面３９ｂを備える。
【００４４】
第２タブ絶縁部３９は、蓋側突出部３７の突出方向の先端全体に繋がっている。電極組立体１２の幅方向への第２タブ絶縁部３９の寸法、すなわち、第２タブ絶縁部３９の長手方向への寸法は、蓋側突出部３７の幅Ｌ２と同じであり、幅方向に並ぶ両極性の電極接合部２８ａ及びタブ群２７の外寄りの端面間の長さより長い。
【００４５】
絶縁カバー３５は、蓋側突出部３７と第２タブ絶縁部３９とが交わる部位に第２交差部４２を備える。第２交差部４２は、電極組立体１２の幅方向に沿うように、蓋側突出部３７及び第２タブ絶縁部３９の長手方向全体に亘って存在する。第２交差部４２は、第２タブ絶縁部３９と蓋側突出部３７の間で屈曲した部位である。絶縁カバー３５は、第２交差部４２に脆弱部としての薄肉部４２ａを備える。薄肉部４２ａは、蓋側突出部３７及び第２タブ絶縁部３９より厚みが薄く、蓋側突出部３７及び第２タブ絶縁部３９に比べて強度が低い部位である。薄肉部４２ａは、蓋側突出部３７及び第２タブ絶縁部３９の長手方向全体に亘って存在する。また、薄肉部４２ａは、第１交差部４１の厚みより薄い。本実施形態では、第１交差部４１は、脆弱部としての薄肉部４２ａを備えない。
【００４６】
第２タブ絶縁部３９において、第２交差部４２からの突出方向への寸法は、蓋部材１５の内面と、電極組立体１２のタブ側端面１２ａとの最短距離より僅かに短い。第２タブ絶縁部３９は、蓋部材１５の内面と、タブ側端面１２ａとの間に配置されている。蓋側突出部３７は、電極接合部２８ａよりも蓋部材１５寄りに位置するため、電極接合部２８ａよりも電極組立体１２寄りに位置するタブ群２７は、蓋側突出部３７に連結された第２タブ絶縁部３９により蓋部材１５側から覆われている。また、第２タブ絶縁部３９において、第２交差部４２からの突出方向の先端は、タブ側端面１２ａに接触している。よって、両極性のタブ群２７の基端部を構成するタブ２５，２６のうち、積層方向他端に位置する最外層のタブ２５，２６は、第２タブ絶縁部３９によって覆われている。その結果、両極性のタブ群２７の基端部全体は、第２タブ絶縁部３９によって覆われ、タブ群２７の基端部全体がケース部材１４から絶縁されている。
【００４７】
第２タブ絶縁部３９の第１面３９ａと、積層方向の他端側に位置するケース部材１４の内面との間には、絶縁フィルムＦが介在している。よって、第２タブ絶縁部３９と絶縁フィルムＦの双方により、タブ群２７の基端部がケース部材１４から絶縁されている。
【００４８】
図１に示すように、絶縁カバー３５は、蓋部材１５の長手方向に延びるタブ絶縁部３６の一対の長縁部のうち、電極組立体１２寄りの長縁部の両端部から積層方向他端に向けて突出した一対の電極側突出部３８を備える。各電極側突出部３８は平板状である。幅方向に沿った一端側から絶縁カバー３５を見た側面視では、第１タブ絶縁部３６、蓋側突出部３７及び電極側突出部３８で構成される部位はコ字状である。
【００４９】
一方の電極側突出部３８は、正極端子構造１６における端子接合部２８ｂと、タブ側端面１２ａとの間に介在し、端子接合部２８ｂの一部を電極組立体１２側から覆う。他方の電極側突出部３８は、負極端子構造１７における端子接合部２８ｂと、タブ側端面１２ａとの間に介在し、端子接合部２８ｂの一部を電極組立体１２側から覆う。
【００５０】
図２に示すように、各電極側突出部３８は、各端子接合部２８ｂに対向する面に第１面３８ａを備え、第１面３８ａに平行で、かつ電極組立体１２に対向する面に第２面３８ｂを備える。第１面３８ａと第２面３８ｂを最短距離で結ぶ直線の長さを厚みとする。電極側突出部３８の厚みと第１タブ絶縁部３６の厚みは同じである。
【００５１】
絶縁カバー３５は、第１タブ絶縁部３６と各電極側突出部３８とが交わる部位に第３交差部４３を備える。第３交差部４３は、第１タブ絶縁部３６と電極側突出部３８の間で直角に屈曲した部位である。第３交差部４３の厚みは、第１交差部４１の厚みと同じである一方で、第３交差部４３の厚みは、第２交差部４２における薄肉部４２ａの厚みより厚い。そして、絶縁カバー３５は、第１交差部４１及び第３交差部４３に薄肉部４２ａは備えない。
【００５２】
絶縁カバー３５は、各電極側突出部３８におけるタブ絶縁部３６からの突出方向の先端（以下、突出端と記載する）に係止爪４０を備える。係止爪４０は、各電極側突出部３８から蓋側突出部３７に向けて突出する。各係止爪４０は、各電極側突出部３８において、絶縁カバー３５の長手方向に沿った蓋側突出部３７寄りの位置に配設されている。
【００５３】
図３に示すように、一方の係止爪４０は、正極の導電部材２８の端子接合部２８ｂにおいて、電極組立体１２の積層方向他端に位置した縁部に係止している。他方の係止爪４０は、負極の導電部材２８の端子接合部２８ｂにおいて、電極組立体１２の積層方向他端に位置した縁部に係止している。各端子接合部２８ｂに対する係止爪４０の係止により、絶縁カバー３５が積層方向一端側に移動することが規制されている。
【００５４】
次に、二次電池１０の製造方法を作用とともに記載する。
二次電池１０の製造方法は、蓋端子組立体２０を製造する第１工程と、蓋端子組立体２０と電極組立体１２とを一体化する第２工程と、絶縁カバー３５の第２タブ絶縁部３９を蓋部材１５と電極接合部２８ａの間に差し込む第３工程と、電極接合部２８ａよりも突出した第２タブ絶縁部３９を第２交差部４２から屈曲させる第４工程とを有する。
【００５５】
まず、図５に示すように、蓋部材１５に、引出端子２９、端子接合部材３０、外部接続端子３１、外側絶縁部材３２、及び内側絶縁部材３３が組付けられ、正極端子構造１６及び負極端子構造１７が形成されるとともに、蓋端子組立体２０が形成され、第１工程が行われる。蓋端子組立体２０において、蓋部材１５と電極接合部２８ａの対向面同士の間には隙間が形成されている。
【００５６】
第１工程の後、第２工程が行われる。正極の導電部材２８の電極接合部２８ａに対し、電極組立体１２の正極のタブ群２７が溶接によって接合され、負極の導電部材２８の電極接合部２８ａに対し、負極のタブ群２７が溶接によって接合される。すると、蓋端子組立体２０と電極組立体１２が一体化され、第２工程が完了する。
【００５７】
次に、タブ群２７を折り曲げて集箔部２７ａ、第１曲げ部２７ｂ、延出部２７ｃ及び第２曲げ部２７ｄを形成する。そして、電極組立体１２の積層方向一端側から他端側に向けて絶縁カバー３５をスライド移動させ、第３工程を行う。スライド移動させる前の絶縁カバー３５においては、蓋側突出部３７の第１面３７ａと第２タブ絶縁部３９の第１面３９ａとが薄肉部４２ａを挟んで同じ平面上に位置し、蓋側突出部３７と第２タブ絶縁部３９とが薄肉部４２ａを挟んで同じ平面上に位置する一枚の平板状である。すなわち、第２タブ絶縁部３９の第１面３９ａが蓋側突出部３７の第１面３７ａに対し交差していない状態である。このため、絶縁カバー３５は側面視コ字状に予め一体成形されている。
【００５８】
そして、絶縁カバー３５をスライド移動させ、蓋部材１５と電極接合部２８ａとの隙間に第２タブ絶縁部３９の突出端から第２タブ絶縁部３９を差し込み、さらに、蓋側突出部３７を差し込むと第３工程が完了する。
【００５９】
図６に示すように、蓋部材１５と電極接合部２８ａとの間に蓋側突出部３７が差し込まれると、両方の電極接合部２８ａに蓋側突出部３７が支持されるとともに、薄肉部４２ａ及び第２タブ絶縁部３９が電極接合部２８ａにおける積層方向他端縁よりも突出する。また、各係止爪４０が各極性の端子接合部２８ｂにおける積層方向他端の縁部に係止する。すると、絶縁カバー３５が積層方向一端側に移動することが規制され、蓋端子組立体２０から絶縁カバー３５が抜け出ることが規制される。
【００６０】
次に、第４工程を行う。電極接合部２８ａから突出した第２タブ絶縁部３９をタブ側端面１２ａに向けて変位させると、薄肉部４２ａが屈曲し、第２タブ絶縁部３９が蓋部材１５の内面とタブ側端面１２ａとの間に架け渡された状態に配置される。その結果、第４工程が完了するとともに、第２タブ絶縁部３９により、両極性のタブ群２７の基端部が積層方向の他端側から覆われる。すなわち、絶縁カバー３５により、タブ群２７の積層方向両端部が覆われる。
【００６１】
そして、電極組立体１２を絶縁フィルムＦで覆った後、絶縁フィルムＦごと電極組立体１２をケース部材１４の開口部１４ａからケース部材１４内に挿入する。電極組立体１２がケース部材１４内に挿入された後、蓋部材１５をケース部材１４の開口端に接合すると、二次電池１０が組み立てられる。
【００６２】
上記実施形態によれば、以下のような効果を得ることができる。
（１）絶縁カバー３５は、タブ群２７の先端部を覆う第１タブ絶縁部３６と、タブ群２７の基端部を覆う第２タブ絶縁部３９とを備える。よって、蓋端子組立体２０と電極組立体１２とが一体化された後に装着される絶縁カバー３５であっても、タブ群２７の積層方向の両端部を覆うことができ、二次電池１０において、タブ群２７の積層方向両端部をケース部材１４から絶縁できる。したがって、蓋端子組立体２０と電極組立体１２とが一体化された後に、タブ群２７の積層方向の一端部と他端部とを別々の絶縁カバーで覆う場合よりも部品を一つ減らすことができ、二次電池１０の部品点数を減らすことができる。
【００６３】
（２）絶縁カバー３５において、薄肉部４２ａにより、第２タブ絶縁部３９を蓋側突出部３７から折り曲げることにより、第２タブ絶縁部３９を蓋側突出部３７に対し交差させた状態にできる。よって、薄肉部４２ａを折り曲げる前は、蓋側突出部３７と第２タブ絶縁部３９とを同じ平面上に位置する平板状とすることができる。このため、絶縁カバー３５を導電部材２８に装着する際、蓋側突出部３７及び第２タブ絶縁部３９を、蓋部材１５と電極接合部２８ａとの間に差し込むことができ、蓋端子組立体２０の組立後であっても、絶縁カバー３５を導電部材２８に装着できる。
【００６４】
（３）絶縁カバー３５において、第１交差部４１及び第３交差部４３には薄肉部４２ａはなく、第１タブ絶縁部３６、蓋側突出部３７及び電極側突出部３８で構成される部位は、予めコ字状に一体成形されている。したがって、蓋側突出部３７を蓋部材１５と電極接合部２８ａとの間に差し込むだけで、第１タブ絶縁部３６をタブ群２７の先端部を覆う位置に配置できるとともに、蓋側突出部３７を蓋部材１５と電極接合部２８ａとの間に配置でき、電極側突出部３８を端子接合部２８ｂを覆う位置に配置できる。すなわち、第１タブ絶縁部３６に対し、蓋側突出部３７及び電極側突出部３８を折り曲げることなく、第１タブ絶縁部３６、蓋側突出部３７及び電極側突出部３８を所定に位置に配置できる。
【００６５】
（５）絶縁カバー３５は、各電極側突出部３８の突出端に係止爪４０を備え、係止爪４０は、積層方向の他端側に位置する端子接合部２８ｂの縁部に係止する。この係止により、絶縁カバー３５が積層方向一端側に移動することを規制でき、絶縁カバー３５が蓋端子組立体２０から外れることを抑止できる。
【００６６】
（６）絶縁カバー３５は、一対の電極側突出部３８を備え、各電極側突出部３８は、各極性の端子接合部２８ｂを電極組立体１２側から覆う平板状である。このため、各電極側突出部３８により、端子接合部２８ｂと電極組立体１２とを絶縁できる。
【００６７】
（７）第２タブ絶縁部３９と蓋側突出部３７とを連結する薄肉部４２ａは、電極接合部２８ａよりも蓋部材１５寄りに位置し、第２タブ絶縁部３９の突出端は、タブ側端面１２ａに到達している。このため、第２タブ絶縁部３９により、各タブ群２７の基端部を覆うことができ、第２タブ絶縁部３９によりタブ群２７の基端部をケース部材１４から絶縁できる。
【００６８】
（８）二次電池１０は、電極組立体１２とケース部材１４とを絶縁する絶縁フィルムＦを備える。この絶縁フィルムＦの一部は、第２タブ絶縁部３９とケース部材１４との間に介在している。このため、絶縁フィルムＦと第２タブ絶縁部３９の双方により、タブ群２７の基端部とケース部材１４とを絶縁できる。
【００６９】
なお、上記実施形態は以下のように変更してもよい。
○  図７に示すように、第２タブ絶縁部３９は、蓋側突出部３７の長手方向全体から突出せず、各極性のタブ群２７に対応した位置のみから突出していてもよい。この場合、第２タブ絶縁部３９は、蓋側突出部３７の長手方向の両側に分かれて２箇所に存在する。なお、第２タブ絶縁部３９は、両極性のタブ群２７の基端部をケース部材１４から絶縁することができれば、形状は適宜変更してもよい。
【００７０】
○  絶縁フィルムＦは、電極組立体１２のタブ側端面１２ａから蓋部材１５寄りに僅かに突出するだけであり、第２タブ絶縁部３９とケース部材１４との間に介在していなくてもよい。この場合であっても、第２タブ絶縁部３９により、タブ群２７の基端部とケース部材１４とを絶縁できる。
【００７１】
○  第２タブ絶縁部３９において、第２交差部４２からの突出方向への寸法は、実施形態より短くてもよい。この場合、第２タブ絶縁部３９において、第２交差部４２からの突出方向の先端は、タブ側端面１２ａに接触しておらず、タブ群２７の基端部の一部が第２タブ絶縁部３９によって覆われていないこととなる。
【００７２】
○  脆弱部は薄肉部４２ａ以外の構成であってもよい。例えば、第２タブ絶縁部３９と蓋側突出部３７の交差部に、第２タブ絶縁部３９及び蓋側突出部３７の長手方向に沿って間隔を空けて設けられた凹みや、スリット孔であってもよい。
【００７３】
○  絶縁カバー３５において、電極側突出部３８は、端子接合部２８ｂを覆う平板状でなくてもよい。すなわち、電極側突出部３８は、端子接合部２８ｂを覆うことができない細長棒状であってもよい。
【００７４】
○  絶縁カバー３５は、電極側突出部３８に係止爪４０を備えなくてもよい。
○  正極電極２１及び負極電極２２は、金属箔の片面に活物質層が存在する構造でもよい。
【００７５】
○  電極組立体は、長尺帯状の正極電極と、長尺帯状の負極電極とを、長尺帯状のセパレータを介して捲回した捲回型であってもよい。
○  蓄電装置は、例えばキャパシタなど、二次電池以外の蓄電装置にも適用可能である。
【００７６】
○  二次電池１０は、リチウムイオン二次電池以外の他の二次電池であってもよい。要は、正極用の活物質と負極用の活物質との間をイオンが移動するとともに電荷の享受を行うものであればよい。
【符号の説明】
【００７７】
Ｆ…絶縁フィルム、１０…蓄電装置としての二次電池、１１…ケース、１２…電極組立体、１２ａ…タブ側端面、１４…ケース部材、１４ａ…開口部、１５…蓋部材、２１…正極電極、２２…負極電極、２５，２６…タブ、２７…タブ群、２８…導電部材、２８ａ…電極接合部、２８ｂ…端子接合部、２９…電極端子としての引出端子、３５…絶縁カバー、３６…第１タブ絶縁部、３６ａ…内面、３７…蓋側突出部、３８…電極側突出部、３９…第２タブ絶縁部、４０…係止爪、４１…第１交差部、４２…第２交差部、４２ａ…脆弱部としての薄肉部、４３…第３交差部。
【図１】
2019145313.tif 000003
【図２】
2019145313.tif 000004
【図３】
2019145313.tif 000005
【図４】
2019145313.tif 000006
【図５】
2019145313.tif 000007
【図６】
2019145313.tif 000008
【図７】
2019145313.tif 000009